(57)【要約】【課題】各種プリンター及びコピーによってプリント及びコピーされた用紙を集めて１冊のノート・アルバム・パンフレット等に製本するための極簡単な方法を考案しかつそのための資材を環境に優しいものとする。【解決手段】プリンターよりやや大きい用紙を背中に相当する部分に平行な巾の狭い部分とその他の面積の大きい部分に分け、その境界にミシン目を施し、前者の部分に接着剤と剥離紙とから成る両面接着テープを貼付けた用紙を用意し、これらの集合体を予め中綴じその他の方法で製本したノートを造っておく。後者の部分をミシン目から切離せばプリンター又はコピー用紙となるので、プリント又はコピー後再び元のノートの巾の狭い部分に両面接着テープで貼ることによって、プリント又はコピーされた表紙及び本文から成るノートが得られる。【選択図】図４
2007176138.tif 000002
【特許請求の範囲】
【請求項１】
表紙及び複数枚の本文用紙から成るノートに於いてその背中に隣接する巾の狭い部分を貼付け部、その他の幅広い面積の大きい用紙の部分をプリント部とし、この２つの部分を区別するための境界線として背中に平行でこれに隣接したミシン目を表紙及び本文のすべてに施し、貼付け部には巾のせまい両面接着テープを予め貼り付けて置き、表紙及び本文のプリント部をミシン目から切離し、これをコピー機及び各種カット紙プリンターによってプリント又はコピーした後、貼付け部の両面接着テープの剥離紙を剥がして、その下の接着剤に貼付けることによって表紙をも含めたすべての部分にプリント又はコピーを施した用紙から成るノート型アルバムを得られ、かつ全ての素材を環境に優しい紙によって造られることを特徴とするノート型アルバム。
【発明の詳細な説明】
【技術分野】
【０００１】  本発明は主としてカット紙プリンターによりプリントされた又はコピー機によってコピーされたカット紙を製本して、１冊のアルバム又はブックにする製本技術に関するものである。
【背景技術】
【０００２】  従来ノート、バインダー、アルバム、プリンター用紙は、それぞれ別個に造られ、別々に利用されている。
例えば、ノートは主に手書き用であって、その用紙をプリンターでプリントすることは困難であり、プリンター用紙は１枚ずつプリントすることは容易であってもこれを１冊にまとめるため製本するには、製本機や別に製造した表紙が必要とされる。このやり方は面倒でありかつ少なくないコストがかかる。
一方プリントされた用紙や写真をアルバムに入れて保存するためのアルバムには主に透明プラスチック袋が多く用いられ、また表紙にもプラスチックシートが用いられているので、アルバム廃棄にはこれらを可燃ごみとして処理されるので、ＣＯ２の発生源の１つとなる。
【発明の開示】
【発明が解決しようとする課題】
【０００３】  〔０００４〕記載の従来システムを改良して、プリンター用紙の製本方法及びそれらの資材を改良し、それによってプリントされた用紙や写真を保存するためのアルバムを、無駄を省き、使い易くかつ環境に優しいものに改良するのが本発明の課題である。
【課題を解決しようとする手段】
【０００４】１．ノート、バインダー、プリンター用紙、アルバムを別個のものとしないで一体のものとする。
２．ノート、プリンター用紙を一体のものとし、このノート用紙の一部をミシン目によって切り離し、表紙及び本文用紙の全てをプリンターにかけられるようにする。
３．プリンター用紙を予めブック又はノート状に製本しておき、その背中に隣接した背中と平行した巾の狭い部分に両面接着テープを貼っておく。
４．その他の本文の部分をプリンター用紙として利用するが、これを容易に分離できるように巾の狭い部分との境界にミシン目を施しておく。
５．プリントされた用紙は、両面接着テープ貼付け部分上の剥離紙を除去すれば再び貼り付けられる。
６．表紙も本文と同様な取扱いが出来るようにする。
【発明の効果】
【０００５】  従来技術に比べ本発明の効果は次の通りである。
１．本発明によるノート型アルバムは１枚の表紙と複数枚の本文用紙から構成されていて、これらをミシン目より１枚ずつ切離せば、プリンターによるプリントやコピー機によるコピーが容易である。
２．プリントされた用紙は貼付け部に容易に貼付され、再び元のノート、アルバム又はブックになる。
３．本文だけでなく表紙も容易にプリントできるので便利である。
４．製本する場合、特別な表紙や製本機を必要とせず、プリントされたシート・表紙に１枚ずつ貼付するだけで元のノート・ブックに戻る。
５．本発明によるノート型アルバムの材料は全てリサイクル可能な紙であるから環境に優しい製品である。
【発明を実施するための最良の形態】
【０００６】（実施例１）
複数枚の用紙と１枚の表紙を重ね合せて、背中の部分をホチキスで綴じて２つ折りしたいわゆる中綴じ式ノート型アルバムの実施例について説明する。
〔図１〕は、ノート型アルバムの見取図であって、１枚の表紙１と複数枚の本文用紙２とから成り、その中央の背中３をホチキス４によって綴じ合せ、２つ折にしたものである。
〔図２〕は、表紙及び本文用紙の１枚分の正面図であって、各用紙２の背中３の中心線５の両側に隣接した巾の狭い部分６−１，６−２を設けてこれらを貼付け部分とし、その他の巾広く面積の大きい部分を７−１、７−２としこれらをプリント部分とし、この２つの部分の境界線に切り取り用ミシン目８−１、８−２を施す。
〔図３〕は、６−１、６−２に巾の狭い両面接着テープ９−１、９−２を施した図である。９−１、９−２は接着剤１０−１、１０−２と剥離紙１１−１、１１−２から成る。
〔図４〕は、本発明によるノート型アルバムを構成する表紙１及び本文用紙２各１枚の見取図であって、これら複数枚を中綴じ製本したものがノート型アルバムである。
これらを実際に使用するには、ミシン目８−１、８−２から表紙１及び本文のプリント部７−１、７−２を切離してプリンターによってプリント又はコピー機によってコピーした後に、両面テープの剥離紙１１−１、１１−２を剥がして、〔図５〕のようにそこの露出した接着剤１０−１、１０−２によってプリント部７−１、７−２を貼付け部６−１、６−２に再貼付することが可能である。
また本発明は、上記中綴じ式のものだけでなく、〔図６〕のようなくるみ製本式のブックタイプにも適用できる。
【図面の簡単な説明】
【０００７】
【図１】本発明による中綴じ式ノート型アルバムの外観見取図。
【図２】本発明による中綴じ式ノート型アルバムを構成する各用紙の正面図。
【図３】本発明による中綴じ式ノート型アルバム貼付け部の正面図。
【図４】本発明による中綴じ式ノート型アルバムを構成する各用紙の見取図。
【図５】本発明によるプリントされた用紙が再び元の貼付け部に貼付けられた図。
【図６】本発明によるくるみ表紙型のアルバムの見取図。
【符号の説明】
【０００８】１    ：表紙
２    ：本文用紙
３    ：背中
４    ：ホチキス
５    ：背中の中心線
６−１、６−２：背中の中心線の両側に隣接する巾の狭い貼付け部分
７−１、７−２：面積の大きいプリント部分
８−１、８−２：６−１と７−１、６−２と７−２を区切るミシン目
９−１、９−２：６−１、６−２に貼られた両面接着テープ
１０−１、１０−２：両面接着テープの接着剤部分
１１−１、１１−２：両面接着テープの剥離紙部分
【図１】
2007176138.tif 000003
【図２】
2007176138.tif 000004
【図３】
2007176138.tif 000005
【図４】
2007176138.tif 000006
【図５】
2007176138.tif 000007
【図６】
2007176138.tif 000008